(57)【要約】      （修正有）【課題】臭味及びゴキブリや蚊等の虫が、バスケットストレーナーを通して室内に入り込むことを防止できるバスケットストレーナー用のフィラーキャップを提供する。【解決手段】内部に、ポノールがある中空筒体１と、上記筒体１内に実装された仕切り板２と操縦装置３とが含有され、筒体１がバスケットストレーナー内に嵌設され、仕切り板２が、筒体１内の第一位置と第二位置との間において、上下に移動でき、操縦装置３が仕切り板２上に実装され、仕切り板２が上記第一位置に位置する時、筒体１のポノールが開くように旋動でき、また、仕切り板２が上記第二位置に位置する時、旋動ができなくなり、筒体１のポノールが閉鎖される。【選択図】図１
0003151010.tif 000002
【実用新案登録請求の範囲】
【請求項１】
バスケットストレーナー内に実装されるフィラーキャップであって、
内部に、ポノールがある中空筒体と、
上記ポノールを開閉できるように、枢着により上記筒体内に実装される仕切り板と、が含有されることを特徴とするバスケットストレーナー用フィラーキャップ。
【請求項２】
上記筒体の一端が開口され、上記筒体の底端に、支持面があり、上記仕切り板が、上記筒体内の一端開口の第一位置と上記筒体内の支持面の第二位置との間に移動できることを特徴とする請求項１に記載のバスケットストレーナー用フィラーキャップ。
【請求項３】
上記バスケットストレーナーに、更に、操縦装置が設けられ、上記操縦装置が、上記仕切り板上に実装されてコンソールパネルが備えられ、上記コンソールパネルが、操作に従って上記仕切り板に対して転動し、上記コンソールパネルが、第一設定位置に転動すると、上記仕切り板が、上記筒体内の上記第一位置で回転して上記筒体のポノールを開にし、上記コンソールパネルが、第二設定位置に転動すると、上記仕切り板が、上記第一位置から上記筒体内の上記第二位置へ移動して上記筒体のポノールを閉にすることを特徴とする請求項２に記載のバスケットストレーナー用フィラーキャップ。
【請求項４】
上記仕切り板に、上面と底面及び外側面があり、上記仕切り板の底面に、凹部が形成され、上記コンソールパネルが、転動可能に上記仕切り板の凹部内に収納され、上記仕切り板内に、二つの径方向に対向する第一孔が形成され、各第一孔が、上記外側面から上記凹部まで伸び、また、上記操縦装置に、更に、一対の第一可動棒が備えられ、各第一可動棒が、上記仕切り板内の対応する第一孔内に実装され、各第一可動棒に、内端と外端があり、各第一可動棒の内端が、上記コンソールパネルの外周壁に抵当し、上記第一可動棒の外端が、上記仕切り板の外側面へ突出することを特徴とする請求項３に記載のバスケットストレーナー用フィラーキャップ。
【請求項５】
上記コンソールパネルの外周壁に、二つの径方向に対向する第一制御点と二つの径方向に対向する第二制御点が設置され、上記コンソールパネルが、上記第一設定位置まで転動すると、上記二つの第一可動棒の内端が、それぞれ、上記コンソールパネルの二つの第一制御点に抵当し、上記コンソールパネルが、第二設定位置まで転動すると、上記二つの第一可動棒の内端が、それぞれ、上記コンソールパネルの二つの第二制御点に抵当することを特徴とする請求項４に記載のバスケットストレーナー用フィラーキャップ。
【請求項６】
上記コンソールパネルの外周壁に、更に、二つの径方向に対向する第三制御点と、二つの径方向に対向する突出が設置され、上記仕切り板内に、二つの径方向に対向する第二孔が形成され、各第二孔が、上記外側面から上記凹部まで伸び、また、上記二つの第二孔が、上記二つの第一孔と、互いに約９０度で隔離され、また、上記操縦装置に、更に、一対の第二可動棒が設けられ、各第二可動棒が、上記仕切り板内の対応する第二孔内に実装され、各第二可動棒に、内端と外端があり、各第二可動棒の内端が、上記コンソールパネルの外周壁に抵当し、上記コンソールパネルが、第三設定位置まで転動すると、各第一可動棒の内端が、上記コンソールパネルの第三制御点に抵当し、また、各第二可動棒の内端が、上記コンソールパネルの一つの突出に抵当することを特徴とする請求項５に記載のバスケットストレーナー用フィラーキャップ。
【請求項７】
上記筒体の上端内壁に、リング状肩部があり、上記肩部上に、対向する二つの欠け口があり、上記コンソールパネルが、上記第一設定位置まで転動すると、各第一可動棒の外端が、対応する欠け口に挿入し、上記仕切り板が、上記第一位置で転動できることを特徴とする請求項５に記載のバスケットストレーナー用フィラーキャップ。
【考案の詳細な説明】
【技術分野】
【０００１】
本考案は、バスケットストレーナー用フィラーキャップに関し、特に、バスケットストレーナー内に実装されて虫除けと防臭効果が得られる装置に関する。
【背景技術】
【０００２】
一般家庭の流し台の水槽や地面の排水孔内に、バスケットストレーナーが実装されて、排水管が、ゴミ等により塞がれることを防止することが、多い。従来のバスケットストレーナーは、一般として、網孔を有する筒状本体と、上記本体内に実装されるフィルターから構成され、網孔とフィルターを利用して、ゴミや残屑が、排水管に流れ込むことを防止する。従来のバスケットストレーナーは、ゴミが、排水管に流れ込むことを防止できるが、バスケットストレーナーの内部にある孔は、平時に、閉鎖されていないため、排水管の内に溜まった垢により、発生した臭味が、バスケットストレーナーを通して室内に発散され、ゴキブリや蚊虫等が、バスケットストレーナーを介して室内に入り、室内の環境衛生品質が低下される問題点がある。
【０００３】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００４】
本考案の主な目的は、バスケットストレーナー内に実装されて、虫除けや防臭の効果が得られ、操作により、上記バスケットストレーナーを開く位置にすることができるフィラーキャップを提供する。
【課題を解決するための手段】
【０００５】
請求項１の考案は、バスケットストレーナー内に実装されるフィラーキャップであって、内部に、ポノールがある中空筒体と、上記ポノールを開閉できるように、枢着により上記筒体内に実装される仕切り板と、が含有される、ことを特徴とするバスケットストレーナー用フィラーキャップである。
【０００６】
請求項２の考案は、上記筒体の一端が開口され、上記筒体の底端に、支持面があり、上記仕切り板が、上記筒体内の一端開口の第一位置と上記筒体内の支持面の第二位置との間に移動できることを特徴とする請求項１に記載のバスケットストレーナー用フィラーキャップである。
【０００７】
請求項３の考案は、上記バスケットストレーナーに、更に、操縦装置が設けられ、上記操縦装置が、上記仕切り板上に実装されてコンソールパネルが備えられ、上記コンソールパネルが、操作に従って上記仕切り板に対して転動し、上記コンソールパネルが、第一設定位置に転動すると、上記仕切り板が、上記筒体内の上記第一位置で回転して上記筒体のポノールを開にし、上記コンソールパネルが、第二設定位置に転動すると、上記仕切り板が、上記第一位置から上記筒体内の上記第二位置へ移動して上記筒体のポノールを閉にすることを特徴とする請求項２に記載のバスケットストレーナー用フィラーキャップである
【０００８】
請求項４の考案は、上記仕切り板に、上面と底面及び外側面があり、上記仕切り板の底面に、凹部が形成され、上記コンソールパネルが、転動可能に上記仕切り板の凹部内に収納され、上記仕切り板内に、二つの径方向に対向する第一孔が形成され、各第一孔が、上記外側面から上記凹部まで伸び、また、上記操縦装置に、更に、一対の第一可動棒が備えられ、各第一可動棒が、上記仕切り板内の対応する第一孔内に実装され、各第一可動棒に、内端と外端があり、各第一可動棒の内端が、上記コンソールパネルの外周壁に抵当し、上記第一可動棒の外端が、上記仕切り板の外側面へ突出することを特徴とする請求項３に記載のバスケットストレーナー用フィラーキャップである
【０００９】
請求項５の考案は、上記コンソールパネルの外周壁に、二つの径方向に対向する第一制御点と二つの径方向に対向する第二制御点が設置され、上記コンソールパネルが、上記第一設定位置まで転動すると、上記二つの第一可動棒の内端が、それぞれ、上記コンソールパネルの二つの第一制御点に抵当し、上記コンソールパネルが、第二設定位置まで転動すると、上記二つの第一可動棒の内端が、それぞれ、上記コンソールパネルの二つの第二制御点に抵当することを特徴とする請求項４に記載のバスケットストレーナー用フィラーキャップである
【００１０】
請求項６の考案は、上記コンソールパネルの外周壁に、更に、二つの径方向に対向する第三制御点と、二つの径方向に対向する突出が設置され、上記仕切り板内に、二つの径方向に対向する第二孔が形成され、各第二孔が、上記外側面から上記凹部まで伸び、また、上記二つの第二孔が、上記二つの第一孔と、互いに約９０度で隔離され、また、上記操縦装置に、更に、一対の第二可動棒が設けられ、各第二可動棒が、上記仕切り板内の対応する第二孔内に実装され、各第二可動棒に、内端と外端があり、各第二可動棒の内端が、上記コンソールパネルの外周壁に抵当し、上記コンソールパネルが、第三設定位置まで転動すると、各第一可動棒の内端が、上記コンソールパネルの第三制御点に抵当し、また、各第二可動棒の内端が、上記コンソールパネルの一つの突出に抵当することを特徴とする請求項５に記載のバスケットストレーナー用フィラーキャップである
【００１１】
請求項７の考案は、上記筒体の上端内壁に、リング状肩部があり、上記肩部上に、対向する二つの欠け口があり、上記コンソールパネルが、上記第一設定位置まで転動すると、各第一可動棒の外端が、対応する欠け口に挿入し、上記仕切り板が、上記第一位置で転動できることを特徴とする請求項５に記載のバスケットストレーナー用フィラーキャップである
【００１２】
以下、図面を参照しながら、本考案の特徴や技術内容について、詳しく説明するが、それらの図面等は、参考や説明のためであり、本考案は、それによって制限されることが無い。
【図面の簡単な説明】
【００１３】
【図１】本考案の第一実施例による構成のフィラーキャップの素子分解図
【図２】図１の組み立て斜視図
【図３】図２の３−３線の斜視図で、図２のフィラーキャップがバスケットストレーナー内に組立てられる時の図
【図４】図２の４−４線の斜視図で、図２のフィラーキャップがバスケットストレーナー内に組立てられる時の図
【図５】図２に類似する斜視図で、コンソールパネルが転動されて仕切り板が、旋動可能の第一位置から下へ旋動不能の第二位置に移動した時の図
【図６】図５の６−６線の斜視図
【図７】図２に類似する斜視図で、コンソールパネルが、第三設定位置に転動された状態の図
【図８】図７の８−８線の斜視図
【考案を実施するための形態】
【００１４】
図１乃至図４を参照しながら、本考案のより良い実施例であるフィラーキャップ１０は、バスケットストレーナー５内に実装され、上記バスケットストレーナー５が、流し台の水槽６内に組立てられ、また、バスケットストレーナー５の底端５１に、排水管（未表示）が接続され、そして、バスケットストレーナー５の上端開口５２の内壁に、肩部５３が形成される（図３のように）。
【００１５】
上記フィラーキャップ１０は、中空筒体１と、筒体１内に実装される仕切り板２と、仕切り板２上に実装される操縦装置３とが、含有され、筒体１の上端の外周壁において、外へ向うフランジ１３が形成され、フランジ１３により、バスケットストレーナー５内の肩部５３上に搭載され、筒体１の内部に、ポノール１２があり、ポノール１２の上端に、開口１２１が形成され、また、筒体１の上端の内壁に、リング状肩部１１があり、肩部１１上に、対応する二つの欠け口１１１が形成され、また、筒体１の内壁において、底端の近くに、内へリング状支持面１４が伸び、また、筒体１の底端において、内へ底縁１５１が伸び、上記底縁１５１によって囲まれる開口１５２が形成され、また、底縁１５１上に、フィルター（未表示）が実装される。
【００１６】
上記仕切り板２は、外径が、ポノール１２の内径よりやや小さくなることにより、仕切り板２が、上記筒体１内の第一位置と第二位置との間において、上下に移動でき（図３と６のように）、本実施例において、上記第一位置が、上記筒体１内の上端開口１２１の近くに位置し、上記第二位置が、筒体１内の支持面１４に位置する。上記仕切り板２は、上面２１と底面２２及び外側面２３があり、仕切り板２上に、上面２１と底面２２とを貫通する中心孔２４が設けられ、また、底面２２の中央に、ほぼ円形状の凹部２５が形成され、上記凹部２５が、上記中心孔２４と連通し、仕切り板２内に、二つの径方向に対向する第一孔２６と、二つの径方向に対向する第二孔２７とが、形成され、本実施例において、上記二つの第一孔２６と、上記二つの第二孔２７は、中心孔２４を中心とし、互いに約９０度で隔離され、また、第一孔２６と第二孔２７が、それぞれ、外側面２３から凹部２５まで伸び、また、仕切り板の底面２２において、外側面２３の近くに、複数の、例えば、ねじである連結部品２８１が挿入結合されるための、複数の離間した結合孔２８が、設けられ、それにより、蓋板２９が、仕切り板の底面２２を覆うように、上記凹部２５が封止される。
【００１７】
本実施例において、上記操縦装置３は、一対の第一可動棒３１と、一対の第二可動棒３２と、コンソールパネル３３とからなり、仕切り板２上に設けられ、コンソールパネル３３は、仕切り板２の凹部２５内に収納され、操作部材３４により、手動で操作されると、仕切り板２に対して、第一制御点と第二制御点との間で、転動し、コンソールパネル３３の中央に、連接孔３３１があり、操作部材３４は、ユーザーにより手で操作できる頭部３４１と、頭部３４１から下へ伸びる棒部３４２とがあり、棒部３４２は、仕切り板２の上面２１から、中心孔２４を通して、コンソールパネル３３の連接孔３３１内に挿入されることにより結合され、また、操作部材３４とコンソールパネル３３との組み立てを便利するため、本実施例において、連接孔３３１が、矩形状に形成され、一側に円形状孔３３２が設けられ、棒部３４２上に、連接孔３３１に対応する断面を有する結合部３４３が形成され、これにより、上記棒部３４２が、上記円形状孔３３２内に挿入されてから上記連接孔３３１内に移動でき、上記のように、結合部３４３と連接孔３３１とが結合されて定位される。
【００１８】
上記コンソールパネル３３は、外周壁３３３があり、外周壁３３３上に、二つの径方向に対向する第一制御点３３４と、二つの径方向に対向する第二制御点３３５と、二つの径方向に対向する第三制御点３３６とがあり、各第一制御点３３４と隣接する第二制御点３３５とが、９０度弱の角でずれていて、また、各第一制御点３３４が、第二制御点３３５と第三制御点３３６との間に位置し、外周壁３３３に、二つの径方向に対向する突出３３７があり、各突出３３７が、一つの対応する第三制御点３３６と、約９０度の角でずれていて、また、各突出３３７は、第二制御点３３５の一側から伸びて形成される。
【００１９】
各第一可動棒３１は、仕切り板２内の対応する第一孔２６内に実装され、各第一可動棒３１は、内端３１１と外端３１２があり、内端３１１が、凹部２５内まで伸びて、コンソールパネル３３の外周壁３３３に抵当し（図２のように）、外端３１２が、仕切り板の外側面２３から突出し、これにより、仕切り板２が、筒体１の内部の第一位置に位置する時（図３のように）、各外端３１２が、対応する欠け口１１１内に挿入され、また、各第一可動棒３１上に、ばね３５と定位係止部材３６が嵌設され、上記定位係止部材３６が、第一可動棒３１上の溝槽３１３内に係止して固定され、また、定位係止部材３６の第一可動棒３１の近くにある内端３１１により、各ばね３５の弾力を利用して、対応する第一可動棒３１の内端３１１は、オフセットして、上記コンソールパネル３３の外周壁３３３に抵当する。
【００２０】
各第二可動棒３２は、仕切り板２内の対応する第二孔２７内に実装され、各第二可動棒３２は、内端３２１と外端３２２があり、上記内端３２１が、凹部２５内まで伸びて、コンソールパネル３３の外周壁３３３に抵当し、外端３２２が、上記仕切り板の外側面２３の近くにあり、また、各第二可動棒３２に、ばね３７と定位係止部材３８とが嵌設され、上記定位係止部材３８が、第二可動棒３２上の溝槽３２３内に係止して固定され、また、定位係止部材３８の第二可動棒３２の近くにある内端３２１により、各ばね３７の弾力を利用して、対応する第二可動棒３２の内端３２１が、オフセットして、上記コンソールパネル３３の外周壁３３３に抵当する。
【００２１】
フィラーキャップ１０が、バスケットストレーナー５内に実装された後、操縦装置３のコンソールパネル３３は、操作により、蓋板２に対して転動でき、また、コンソールパネル３３の外周壁３３３上の第一制御点３３４や第二制御点３３５或いは第三制御点３３６は、第一可動棒３１の内端３１１に接触して、それぞれ、第一設定位置や第二設定位置及び第三設定位置が形成され、図２乃至図４のように、仕切り板２が、筒体１内部の肩部１１上に位置し（即ち、第一位置）、且つ、各第一可動棒３１の内端３１１が、上記コンソールパネルの外周壁３３３にある第一制御点３３４に接触する（即ち、コンソールパネル３３の第一設定位置）時、各第一可動棒の外端３１２が、対応する欠け口１１１内に挿入され、仕切り板２は、上記第一可動棒３１を軸とし、旋動してポノール１２が開かれ（図４のように）、この時、例えば、洗濯等の汚水が、ポノール１２を介して、排水管に排出され、また、ポノール１２に流れ込んだ汚水に、ゴミや残屑が含まれる時、フィルターにより、収集されて、排水管が塞ぐことを防止できる。
【００２２】
図５と図６のように、操作部材３４を操作して、コンソールパネルの外周壁３３３にある第二制御点３３５が、各第一可動棒３１の内端３１１が抵当する（即ち、コンソールパネル３３の第二設定位置）まで転動すると、各第一可動棒３１の外端３１２が、対応する欠け口１１１内に縮み戻ると、上記仕切り板２が、上記第一位置から下へ上記本体支持面１４の第二位置に移動でき、仕切り板２が、上記第二位置に位置すると、旋動できなくなり、筒体１のポノール１２が閉鎖される状態になり、ゴキブリ等の虫類や臭味が、バスケットストレーナー５やポノール１２に沿って室内に侵入することができなくなり、虫除けや防臭、そして、水溜りの効果が実現される。
【００２３】
図７と図８のように、仕切り板２が第一位置にする時の旋動角度を制限することができ、これにより、ポノール１２の開き角度が、大きくならないことや、開かれないことを防止でき、即ち、コンソールパネルの外周壁３３３にある第一制御点３３４や第二制御点３３５が、各第一可動棒３１の内端３１１に抵当する時、上記第二可動棒３２の外端３２２が、仕切り板２内に縮み戻るため、仕切り板２が第一位置での旋動活動に影響せず、操作部材３４を操作して上記コンソールパネルの外周壁３３３にある第三制御点３３６が、各第一可動棒３１の内端３１１に抵当する位置に転動すると（即ち、コンソールパネル３３の第三設定位置）、各第二可動棒３２の内端３２１が、コンソールパネル３３の突出３３７抵当して、各第二可動棒３２の外端３２２が、上記筒体１の開口１２１の内壁に抵当するようになり、これにより、仕切り板２の旋動が、ある小さい角度範囲内に制限され、この状態において、ポノール１２の開放角度が制限されるため、汚水が、ポノール１２に流れ込むことができ、また、果物等を洗う時、ポノール１２内に落ち込むことを防止できる。
【００２４】
上記のように、本考案は、所定の実施例について説明するが、本考案の特徴に基づいて、様々の変化や修正ができ、例えば、フィラーキャップ１０の筒体１の代わりに、バスケットストレーナー５を利用することができ、即ち、直接に、バスケットストレーナー５上に、仕切り板２が上下に移動できる第一位置と第二位置とを設置する時、筒体１を省略できる。
【００２５】
そのため、本考案は、より進歩的かつより実用的で、法に従って実用新案登録請求を出願する。
【００２６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【符号の説明】
【００２７】
１             
筒体
１０           
フィラーキャップ
１１            肩部
１１１          欠け口
１２           
ポノール
１２１          開口
１３           
フランジ
１４           
支持面
１５１          底縁
１５２          開口
２             
仕切り板
２１           
上面
２２            底面
２３           
外側面
２４           
中心孔
２５           
凹部
２６、２７      孔
２８            結合孔
２８１          連結部品
２９            蓋板
３              操縦装置
３１、３２      可動棒
３１１、３２１  内端
３１２、３２２  外端
３１３、３２３  溝槽
３３            コンソールパネル
３３１          連接孔
３３２          円形状孔
３３３          外周壁
３３４          第一制御点
３３５          第二制御点
３３６          第三制御点
３３７          突出
３４            操作部材
３４１          頭部
３４２          棒部
３４３          結合部
３５、３７      ばね
３６            定位係止部材
３８            定位係止部材
５              バスケットストレーナー
５１            底端
５２            開口
５３            肩部
６              水槽
【図１】
0003151010.tif 000003
【図２】
0003151010.tif 000004
【図３】
0003151010.tif 000005
【図４】
0003151010.tif 000006
【図５】
0003151010.tif 000007
【図６】
0003151010.tif 000008
【図７】
0003151010.tif 000009
【図８】
0003151010.tif 000010